(57)【要約】【課題】金型の構造を複雑にすることなく、成形品を正常に離型できるようにする。【解決手段】射出成形金型１０は、キャビティ型１２とコア型１１とを有し、コア型１１に、型開き時に成形品１３を突き出すための突き出し機構２０が設けられている。突き出し機構２０は、成形品１３を突き出すためのブロック部材２１と、型開きの開始時から遅延してブロック部材２１をキャビティ型１２方向に押し出すための遅延機構とを備えている。【選択図】図３
2014205315.tif 000002
【特許請求の範囲】
【請求項１】
キャビティ型とコア型とを有し、前記コア型に、型開き時に成形品を突き出すための突き出し機構が設けられた射出成形金型であって、
前記突き出し機構は、前記成形品を突き出すためのブロック部材と、型開きの開始時から遅延して前記ブロック部材をキャビティ型方向に押し出すための遅延機構とを備えていることを特徴とする射出成形金型。
【請求項２】
前記遅延機構は、前記キャビティ型方向に付勢された被付勢部材を備え、
前記被付勢部材は、型閉じ時には前記キャビティ型により移動を規制されており、型開き時には前記付勢により前記キャビティ型方向に移動し、
前記被付勢部材には、型閉じ時に前記ブロック部材と押出方向に離間し、型開き時に前記付勢により所定量移動することで前記ブロック部材と当接して前記ブロック部材を前記キャビティ型方向に押し出す押出部が設けられていることを特徴とする請求項１に記載の射出成形金型。
【請求項３】
前記キャビティ型及びコア型と共に前記成形品のアンダーカット部を成形するためのサイドコアをさらに備え、
前記サイドコアは、前記アンダーカット部の型抜き方向に付勢され、型閉じ時には、前記キャビティ型に移動を規制されており、型開き時に前記付勢により、前記アンダーカット部を型抜きするように移動し、
前記ブロック部材は、前記サイドコアの移動の後に、前記キャビティ型方向に押し出されるように構成されていることを特徴とする請求項１又は２に記載の射出成形金型。
【請求項４】
前記被付勢部材は、前記ブロック部材を押出方向に貫通し、型閉じ時には前記キャビティ型に先端部が当接してキャビティ型方向の移動が規制された棒状部材であり、
前記ブロック部材は、前記成形品の開口部に対応する位置に配置され、
前記ブロック部材の上面は、型閉じ時において前記成形品の開口部を通って前記キャビティ型に当接し、前記上面の周縁部には前記キャビティ型と離間し且つ前記成形品に当接する段差部が形成され、型開き時に前記段差部により前記成形品が突き出されることを特徴とする請求項２又は３に記載の射出成形金型。
【請求項５】
前記被付勢部材は、その軸方向中間部に前記押出部として鍔部が形成され、型開き時に前記鍔部が前記ブロック部材に当接して前記ブロック部材を前記キャビティ型方向に押し出すことを特徴とする請求項４に記載の射出成形金型。
【請求項６】
前記ブロック部材は、第１付勢部材により前記キャビティ型側に付勢され、
前記遅延機構は、型閉じ時には前記ブロック部材にその付勢方向に対向して当接し、前記第１付勢部材よりも付勢力が大きい第２付勢部材により前記ブロック部材側に付勢された遅延用ブロックを含み、
型開き時において、前記第２付勢部材の付勢力により前記遅延用ブロックが前記ブロック部材側に移動した後に、前記第１付勢部材の付勢力により前記ブロック部材が前記遅延用ブロック側に移動することで前記成形品が突き出されるように構成されていることを特徴とする請求項１に記載の射出成形金型。
【発明の詳細な説明】
【技術分野】
【０００１】
本発明は射出成形金型に関し、特に成形品を金型から離型させるための突き出し機構を有する射出成形金型に関する。
【背景技術】
【０００２】
一般に、自動車のバンパー等の部品は、金型を用いた射出成形により形成されている。通常、キャビティ型とコア型とにより構成される射出成形金型から成形品を離型する際に、その成形品は冷却・固化工程により収縮してコア型の表面に張り付いた状態となっている。このため、コア型に設けられたエジェクタープレート及びエジェクターピンを用いて、成形品をコア型の表面から突き出すことにより、成形品を離型している。
【０００３】
特許文献１には、そのような成形品の離型のためのエジェクターピン及びエジェクタープレートを含む構成に加えて、バネ部材により付勢されたスライドコアを利用してアンダーカット部の型抜きを行う構成についても開示されている。
【０００４】
同様に、特許文献２にも、バネの付勢力を利用してスライドコアをアンダーカット部の型抜き方向に移動させることにより、アンダーカット部の型抜きを行う構成について開示されている。
【先行技術文献】
【特許文献】
【０００５】
【特許文献１】特開平０７−２６６３８４号公報
【特許文献２】特開２０００−３０１５８１号公報
【発明の概要】
【発明が解決しようとする課題】
【０００６】
ところで、エジェクタープレート及びエジェクターピンをコア型に設ける場合、コア型を貫通するようにエジェクターピンを配設するため、コア型の剛性が低下してしまう。さらにコア型の構造が複雑となり、その組み立てやメンテナンス等が困難となる。そこで、上記特許文献１及び特許文献２に記載されているアンダーカット部の処理と同様に、エジェクターピンの作動にバネの付勢力を利用することが考えられる。すなわち、コア型の表面に、キャビティ型側に付勢された成形品を突き出すためのブロック部材を設けることにより、型開きと共に、そのブロック部材が上記付勢力により成形品を突き出すことができる。
【０００７】
このようにすると、エジェクタープレート及びエジェクターピンを必要とせず、コア型の所望の位置に溝を設けて、該溝内にバネ等の付勢部材によりキャビティ型方向に付勢されたブロック部材を設けることができる。その結果、エジェクターピンがコア型を貫通することがないため、コア型の剛性を低下させることなく、また、コア型の構造を簡略化できる。
【０００８】
しかしながら、上記のような構成にすると、型開き時に、ブロック部材が付勢力によりキャビティ型に当接したまま、キャビティ型の移動に追従して成形品を突き出すため、成形品がキャビティ型に取られ易くなり、成形品を正常に離型できないおそれがある。
【０００９】
本発明は、前記の問題に鑑みてなされたものであり、その目的は、金型の構造を複雑にすることなく、成形品を正常に離型できるようにすることにある。
【課題を解決するための手段】
【００１０】
前記の目的を達成するために、本発明は、射出成形金型において、型開き時に成形品を突き出すためのブロック部材が設けられ、ブロック部材による成形品の突き出しが型開きから遅延して行われるようにするための遅延機構が設けられた構成とした。
【００１１】
具体的に、本発明に係る射出成形金型は、キャビティ型とコア型とを有し、コア型に、型開き時に成形品を突き出すための突き出し機構が設けられた射出成形金型であって、突き出し機構は、成形品を突き出すためのブロック部材と、型開きの開始時から遅延してブロック部材をキャビティ型方向に押し出すための遅延機構とを備えていることを特徴とする。
【００１２】
本発明に係る射出成形金型によると、遅延機構が型開きの開始時から遅延してブロック部材をキャビティ型方向に押し出すため、成形品がキャビティ型から離間した状態でブロック部材に突き出されるので、成形品がキャビティ型に取られることを防止でき、成形品を正常に離型することが可能となる。
【００１３】
本発明に係る射出成形金型において、遅延機構は、キャビティ型方向に付勢された被付勢部材を備え、被付勢部材は、型閉じ時にはキャビティ型に移動を規制されており、型開き時には付勢により前記キャビティ型方向に移動し、被付勢部材には、型閉じ時にブロック部材と押出方向に離間し、型開き時に付勢により所定量移動することでブロック部材と当接してブロック部材をキャビティ型方向に押し出す押出部が設けられていることが好ましい。
【００１４】
このようにすると、型開き時に、まず被付勢部材がキャビティ型方向に移動した後、被付勢部材の押出部がブロック部材に当接し、ブロック部材をキャビティ型方向に押し出すことにより、成形品が突き出される。すなわち、型開きの開始から遅延してブロック部材がキャビティ型方向に移動して成形品を突き出すため、成形品がキャビティ型に取られることを防止できる。また、本発明の突き出し機構及び遅延機構は、上記のように、コア型にブロック部材や被付勢部材を設けるだけの単純な構成であるため、金型の構造が複雑にならず、金型の組み立て及びメンテナンスが容易となる。また、金型を貫通するエジェクターピン等を設ける必要もないため、金型の剛性の低下を防止できる。
【００１５】
本発明に係る射出成形金型は、キャビティ型及びコア型と共に成形品のアンダーカット部を成形するためのサイドコアをさらに備え、サイドコアは、アンダーカット部の型抜き方向に付勢され、型閉じ時には、キャビティ型に移動を規制されており、型開き時に前記付勢により、アンダーカット部を型抜きするように移動し、ブロック部材は、サイドコアの移動の後に、キャビティ型方向に押し出されるように構成されていることが好ましい。
【００１６】
このようにすると、サイドコアがアンダーカット部の型抜き方向に付勢され、該付勢力により型開き時にアンダーカット部を型抜きするように移動するため、型開きと共に、他の工程を必要とせずに成形品の突き出しのみならず、アンダーカット部の処理が可能となる。この場合も、上記構成に型抜き方向に付勢されたサイドコアを追加したのみで、簡単な構造であり、金型の構造を複雑にすることはない。
【００１７】
本発明に係る射出成形金型において、被付勢部材は、ブロック部材を押出方向に貫通し、型閉じ時にはキャビティ型に先端部が当接してキャビティ型方向の移動が規制された棒状部材であり、ブロック部材は、成形品の開口部に対応する位置に配置され、ブロック部材の上面は、型閉じ時において成形品の開口部を通ってキャビティ型に当接し、上面の周縁部にはキャビティ型と離間し且つ成形品に当接する段差部が形成され、型開き時に段差部により成形品が突き出されることが好ましい。
【００１８】
このようにすると、ブロック部材の上面は成形品の開口部を通ってキャビティ型に当接し、ブロック部材の上面の周縁部に形成された段差部が成形品と当接することとなる。このため、型開き時にブロック部材の上面がキャビティ型と離れた後に、その上面の周縁部における段差部が成形品を突き出すので、成形品がキャビティ型に取られることを防止できる。
【００１９】
本発明に係る射出成形金型において、被付勢部材は、その軸方向中間部に押出部として鍔部が形成され、型開き時に鍔部が前記ブロック部材に当接してブロック部材を前記キャビティ型方向に押し出すことが好ましい。
【００２０】
このようにすると、被付勢部材の押出部が鍔部であるため、被付勢部材の移動に伴って鍔部が移動して、安定してブロック部材に当接して、ブロック部材をキャビティ型方向に押し出すことができる。
【００２１】
本発明に係る射出成形金型において、ブロック部材は、第１付勢部材によりキャビティ型側に付勢され、遅延機構は、型閉じ時にはブロック部材にその付勢方向に対向して当接し、第１付勢部材よりも付勢力が大きい第２付勢部材によりブロック部材側に付勢された遅延用ブロックを含み、型開き時において、第２付勢部材の付勢力により遅延用ブロックがブロック部材側に移動した後に、第１付勢部材の付勢力によりブロック部材が遅延用ブロック側に移動することで成形品が突き出されるように構成されていることを特徴とする。
【００２２】
このようにすると、コア型に設けられ、第１付勢部材によりキャビティ型方向に付勢されたブロック部材と、第１付勢部材よりも付勢力が強い第２付勢部材によりブロック部材側に付勢された遅延用ブロックとが対向して設けられているため、型開き時にまず遅延用ブロックのみがブロック部材側に移動する。そして、遅延用ブロックの移動が終了した後に、ブロック部材が遅延用ブロック側に移動する。このため、型開きの開始から遅延してブロック部材が移動するので、成形品からキャビティ型が離れた後に成形品が突き出しブロックにより突き出されることとなる。その結果、型開き時に成形品がキャビティ型に取られることがなく、正常に成形品を離型できる。
【発明の効果】
【００２３】
本発明に係る射出成形金型によると、成形品がキャビティ型に取られることなく、正常に成形品を離型できる。また、金型の構造が複雑でないため、金型の組み立て及びメンテナンスが容易となり、さらに、金型を貫通するエジェクターピン等を設ける必要もないため、金型の剛性の低下を防止できる。
【図面の簡単な説明】
【００２４】
【図１】本発明の実施形態に係る射出成形金型により形成されるバンパーを示す斜視図である。
【図２】本発明の実施形態に係る射出成形金型を示す断面図である。
【図３】本発明の実施形態に係る射出成形金型の型閉じ時における突き出し機構を示す断面図である。
【図４】（ａ）〜（ｃ）は本発明の実施形態に係る射出成形金型の突き出し機構による成形品の突き出し動作を順次示す断面図である。
【図５】（ａ）〜（ｃ）は本発明の実施形態に係る射出成形金型によるアンダーカット部の処理動作を順次示す断面図である。
【図６】本発明の実施形態に係る射出成形金型のサイドコアの構造を示す拡大図である。
【図７】本発明の他の実施形態に係る射出成形金型の型閉じ時における突き出し機構を示す断面図である。
【図８】（ａ）〜（ｃ）は本発明の他の実施形態に係る射出成形金型の突き出し機構による成形品の突き出し動作を順次示す断面図である。
【発明を実施するための形態】
【００２５】
以下、本発明を実施するための形態を図面に基づいて説明する。以下の好ましい実施形態の説明は、本質的に例示に過ぎず、本発明、その適用物或いはその用途を制限することを意図するものでない。
【００２６】
（射出成形金型の構成）
本実施形態では、図１に示すようなバンパー１を射出成形により形成するための射出成形金型を例として説明する。なお、バンパー１を例として説明するが、本発明に係る射出成形金型は、他の成形品を形成するための金型にも当然に適用できる。バンパー１にはその周縁部に内側（車体側）に折り曲げられたような形状のフランジ部２，３が形成されている。このようなバンパー１は、通常、弾性を有する合成樹脂、例えばポリプロピレン等により構成される。
【００２７】
次に、上記バンパー１を射出成形により形成するための射出成形金型の構成について図２を参照しながら説明する。図２は本実施形態に係る射出成形金型を示す断面図である。なお、図２では図の簡略化のために、後に説明する突き出し機構２０のガイドピンを省略している。
【００２８】
図２に示すように、本実施形態に係る射出成形金型１０は、コア型１１と、キャビティ型１２とを含み、コア型１１とキャビティ型１２との間のキャビティ内に樹脂が射出され、バンパー１となる成形品１３が形成される。コア型１１は、コア型支持台１４に取り付けられ、キャビティ型１２は、キャビティ型支持台１５に取り付けられており、型閉じ時にコア型支持台１４がキャビティ型１２に近づく方向に移動し、逆に、型開き時にキャビティ型１２から離れる方向に移動するように構成されている。
【００２９】
射出成形金型１０は、バンパー１のフランジ部３、すなわちアンダーカット部１３ａとなる部分を型抜きするためのサイドコア１６をさらに備えている。サイドコア１６は、コア型１１におけるコア型支持台１４側に形成された凹部１９内に設けられている。凹部１９の底面（図２では右側面）には、サイドコア１６をキャビティ型１２の方向（図２の左方向）に付勢するバネ部材等の付勢部材１７が設けられており、これにより、サイドコア１６のキャビティ型１２側の面（当接面）１６ａは、キャビティ型１２に当接している。また、サイドコア１６は、型開き時にアンダーカット部１３ａに係合し、上記付勢力によりアンダーカット部１３をコア型１１から型抜きするための凸部１６ｂを有する。
【００３０】
コア型１１は上記凹部１９の他に、その表面に複数の溝部１８が設けられており、これら溝部１８には、型開き時に、コア型１１に張り付いた成形品１３を突き出すための突き出し機構２０が設けられている。なお、溝部１８は、成形品１３の開口部に対応する位置に設けられている。
【００３１】
（突き出し機構の構成）
ここで、突き出し機構２０の具体的な構成について図３を参照しながら説明する。図３は、突き出し機構の構成を示す断面図である。なお、図３では型閉じ時の状態を示している。
【００３２】
図３に示すように、コア型１１の表面の溝部１８に設けられた突き出し機構２０は、成形品１３を突き出すためのブロック部材である突き出しブロック２１と、突き出しブロック２１を溝部１８の深さ方向に貫通し、その軸方向中間部に突き出しブロック２１を押し出すための押出部である鍔部２２ａを有する棒状のロッド（被付勢部材）２２とを備えている。さらに、突き出し機構２０は、ロッド２２を溝部１８の外側方向（図３では上方）に付勢する付勢部材としてコイルスプリング２３と、ロッド２２の両側において突き出しブロック２１を溝部１８の深さ方向に貫通し、突き出しブロック２１の位置を規制し且つその移動をガイドするガイドピン２４とをさらに備えている。
【００３３】
突き出しブロック２１は、型閉じ時において、その頂面２１ａがキャビティ型１２に当接するように配設されている。また、突き出しブロック２１の頂面２１ａの周縁部には、段差部２１ｂが設けられている。上述の通り、成形品１３は開口部を有しており、上記頂面２１ａの位置に成形品１３の開口部が対応しており、頂面２１ａは成形品１３の開口部を通ってキャビティ型１２に当接し、突き出しブロック２１の段差部２１ｂはキャビティ型１２と離間しており、段差部２１ｂとキャビティ型１２との間に成形品１３が配置される。また、突き出しブロック２１には、その頂面２１ａから下面まで貫通し、突き出しブロック２１の中央部に位置する貫通孔２１ｃ、及びその両側に位置する貫通孔２１ｄ，２１ｅが形成されている。また、コア型１１には、それらの貫通孔２１ｃ，２１ｄ，２１ｅとそれぞれ連通する溝部１１ｃ，１１ｄ，１１ｅが形成されている。貫通孔２１ｃの上部は下部よりも径が小さく、このため、貫通孔２１ｃの上部と下部との境界には、型開き時にロッド２２の鍔部２２ａに当接される当接面２１ｆが形成されている。なお、貫通孔２１ｃの下部と溝部１１ｃとは同等の径を有するように構成されている。
【００３４】
ロッド２２は、上記貫通孔のうち中央に設けられた貫通孔２１ｃ及び溝部１１ｃ内に配設されている。さらに貫通孔２１ｃ及び溝部１１ｃ内にはコイルスプリング２３が、ロッド２２をキャビティ型１２方向（図３では上方）に付勢するように配設されている。このため、型閉じ時においてロッド２２の上端面は、キャビティ型１２に当接している。具体的に、コイルスプリング２３は、その下端部が溝部１１ｃの下面に当接し、その上端部がロッド２２の鍔部２２ａに当接して、ロッド２２を上方に付勢している。ここで、ロッド２２の鍔部２２ａは、上述の通りロッド２２の軸方向の中間部に設けられており、鍔部２２の径は、貫通孔２１ｃの下部の径よりも小さく且つ貫通孔２１ｃの上部の径よりも大きい。また、型閉じ時において、鍔部２２ａと当接面２１ｆとの間に間隙が設けられている。後に詳細に説明するが、ロッド２２及びコイルスプリング２３によりブロック部材２１を型開き開始時から遅延してキャビティ型１２方向に押し出すための遅延機構５０を構成している。すなわち、遅延機構５０は、型開き時に、コイルスプリング２３によりロッド２２が溝部１８の外側（図３では上方）に押し出されて、鍔部２２が上記間隙分だけ移動して突き出しブロック２１の当接面２１ｆに当接した後に、突き出しブロック２１を上方に押し上げるように構成されている。なお、本実施形態ではコイルスプリング２３を用いているが、ロッド２２をキャビティ型１２方向に付勢できるものであれば、他の付勢部材を代用しても構わない。
【００３５】
ガイドピン２４は、前記貫通孔２１ｃの両側に設けられた貫通孔２１ｄ，２１ｅ及び溝部１１ｄ，１１ｅ内に設けられている。ロッド２２によって突き出しブロック２１が上方に押し出される際に、ガイドピン２４が突き出しブロック２１の移動をガイドする。ガイドピン２４は、その上部に径が拡大された係止部２４ａを有し、一方、貫通孔２１ｄ，２１ｅの上部の径は、下部の径よりも大きく形成されている。具体的に、貫通孔２１ｄ，２１ｅの上部の径は、ガイドピン２４の係止部２４ａの径よりもわずかに大きく、貫通孔２１ｄ，２１ｅの下部の径は係止部２４ａの径よりも小さい。このため、突き出しブロック２１が上方に所定量移動すると、係止部２４ａが貫通孔２１ｄ，２１ｅの上部と下部との境界面２１ｇに当接し、突き出しブロック２１がそれ以上上方に移動しないように規制する。これにより、突き出しブロック２１は、再度キャビティ型１２に当接することがないため、成形品１３がキャビティ型１２に取られることがない。
【００３６】
次に、本実施形態における突き出し機構２０による成形品１３の突き出し動作について図４（ａ）〜（ｃ）を参照しながら説明する。図４（ａ）〜（ｃ）は突き出し機構２０による成形品１３の突き出し動作を順次示している。
【００３７】
まず、図４（ａ）に示すように、型閉じ時において、突き出しブロック２１の頂面２１ａ及びロッド２２の上端面は、キャビティ型１２に当接した状態であり、このときロッド２２はコイルスプリング２３によりキャビティ型方向（図４（ａ）では上方）に付勢されている。
【００３８】
次に、型開きの開始時では、図４（ｂ）に示すように、コア型１１がキャビティ型１２から離れるため、コイルスプリング２３の付勢力によってロッド２２がキャビティ型１２方向（図４（ｂ）では上方）に押し上げられて、鍔部２２ａが突き出しブロック２１の当接面２１ｆに当接する。
【００３９】
さらに、コア型１１がキャビティ型１２から離れると、図４（ｃ）に示すように、コイルスプリング２３の付勢力により当接面２１ｆに当接した鍔部２２ａが突き出しブロック２１をキャビティ型１２方向（図４（ｃ）では上方）に押し上げる。これにより、突き出しブロック２１の段差部２１ｂ上に配置された成形品１３がコア型１１の表面から突き出されることとなる。また、突き出しブロック２１が所定量押し上げられると、突き出しブロック２１の上記境界面２１ｇにガイドピン２４の係止部２４ａが当接し、突き出しブロック２１の移動を止める。これにより、上述の通り、突き出しブロック２１が、再度キャビティ型１２に当接することにより、成形品１３がキャビティ型１２に取られることを防止している。
【００４０】
以上のように、本実施形態に係る射出成形金型１０を用いると、型開き工程とは別にエジェクターピン等を用いた成形品１３の突き出し工程を必要とせず、型開きと共に、突き出し機構２０によりコア型１１の表面に張り付いた成形品１３を突き出すことができる。また、突き出し機構２０は、簡単な構造であり、金型の組み立て及びメンテナンスを困難にすることはない。さらに、この構造では、コア型を貫通する必要もないため、金型の剛性を低下することもない。
【００４１】
本実施形態では、上記の通り、突き出し機構２０として成形品１３を突き出すためのブロック部材である突き出しブロック２１と、突き出しブロック２１を貫通する棒状のロッド２２が用いられているが、このような構成に限られず、型開きの開始から遅延して突き出しブロック２１がキャビティ型１２方向に移動するような構成であればよい。例えば、ブロック部材を押し出す被付勢部材がロッド２２のような棒状部材でなくブロック状の部材であってもよいし、ブロック部材を貫通せずに、ブロック部材の外側に配置されていてもよい。
【００４２】
（アンダーカット部処理）
次に、本実施形態に係る射出成形金型１０における成形品１３のアンダーカット部１３ａの処理について図５（ａ）〜（ｃ）を参照しながら説明する。図５（ａ）〜（ｃ）は型開き時のサイドコア１６の動作について順次示す図である。図５では図の簡略化のために、突き出し機構２０のガイドピン２４を省略している。
【００４３】
まず、図５（ａ）に示すように、型閉じ時において、コア型１１におけるコア型支持台１４側に形成された凹部１９内に設けられたサイドコア１６は、そのコア型１１側の側面（図５（ａ）では右側）に当接するように配設された付勢部材１７により、アンダーカット部１３ａの型抜き方向（図５（ａ）では左側）に付勢されており、サイドコア１６のキャビティ型１２側の側面（当接面）１６ａはキャビティ型１２に当接している。なお、当接面１６ａは、上方に向かうに従ってコア型１１方向に傾いた傾斜面である。
【００４４】
次に、型開きを開始すると、図５（ｂ）に示すように、付勢部材１７の付勢力によりサイドコア１６の左側への移動が開始する。なお、この時点では、上記突き出し機構２０においてロッド２２のみがコイルスプリング２３により上方に押し上げられ、突き出しブロック２１は押し上げられていない。
【００４５】
さらに、型開きが進むと、図５（ｃ）に示すように、サイドコア１６の凸部１６ｂがアンダーカット部１３に係合した状態で、サイドコア１６が左側にさらに押し出されるため、成形品１３のアンダーカット部１３ａがコア型１１から完全に型抜きされる。続いて、上記突き出し機構２０における突き出しブロック２１がコイルスプリング２３の付勢力によりロッド２２の鍔部２２ａに押し上げられ、コア型１１の表面から成形品１３が突き出される。これにより、アンダーカット部１３ａを有する成形品１３が完全に離型される。
【００４６】
以上の通り、本実施形態では、突き出し機構２０における突き出しブロック２１は、型開き開始直後に上方に押し上げられることがなく、一方、サイドコア１６は、型開きの開始と共に、付勢部材１７の付勢力によりアンダーカット部をコア型１１から型抜きする方向に移動するように構成されている。すなわち、サイドコア１６が付勢部材１７により移動された後に、突き出しブロック２１がロッド２２の鍔部２２ａに押し上げられるように構成されている。
【００４７】
なお、サイドコア１６が付勢部材１７により移動されるタイミングは、サイドコア１６におけるキャビティ型１２側の当接面１６ａの傾斜角（コア型支持台１４の表面と当接面１６ａとの角度）の大きさにより調整できる。すなわち、その傾斜角の角度を小さくすると、型開き時にサイドコアがキャビティ型１２からわずかに離れることでサイドコア１６が押し出されるため、サイドコア１６が押し出されるタイミングを早くすることができる。逆に、その傾斜角の角度の大きさを大きくすると、サイドコア１６が押し出されるタイミングを遅くすることができる。
【００４８】
一方、突き出しブロック２１が押し出されるタイミングは、ロッド２２の鍔部２２ａと突き出しブロック２１の当接面２１ｆとの距離を変えることにより調整できる。すなわち、その距離を小さくすることにより、突き出しブロック２１が押し出されるタイミングを早くすることができ、逆にその距離を大きくすることによりそのタイミングを遅くすることができる。これらを調整することで、アンダーカット部１３ａの処理及び成形品１３の突き出しのタイミングを調整することができる。
【００４９】
以上の通り、本実施形態に係る射出成形金型１０では、複雑の構造を必要とすることなく、型開きと共に、アンダーカット部の処理及び成形品１３の突き出すことが可能である。
【００５０】
また、本実施形態に係る射出成形金型１０におけるサイドコア１６には、アンギュラピンが設けられていない。通常、アンダーカット部１３ａを型抜きするためのサイドコアには、型開き時及び型閉じ時にサイドコアを移動させるためにアンギュラピンが設けられているが、本実施形態ではサイドコア１６にアンギュラピンを設けない構成で、サイドコア１６を移動可能としている。図６にサイドコア１６における当接面１６ａ付近の拡大図を示す。具体的に、図６に示すように、サイドコア１６の当接面１６ａを傾斜面とし、型閉じ時にその当接面１６ａにキャビティ型１２が最初に当接する位置が、付勢部材１７が配置された位置に対応する位置（図６の一点鎖線で示す位置）となるように構成されている。このような構成により、キャビティ型１２に当接される傾斜した当接面１６ａが、アンギュラピンと同様にサイドコア１６の移動をガイドするように機能する。また、型閉じ時に、キャビティ型１２がサイドコア１６を、付勢部材１７が配置された位置に対応する位置で押し込むため、サイドコア１６に余計なモーメントが生じることを防止している。
【００５１】
（本発明の他の実施形態）
次に、本発明の他の実施形態として上記の突き出し機構２０とは異なる構成を有する突き出し機構３０について図７を参照しながら説明する。図７は、突き出し機構３０の構成を示す断面図である。なお、図７は型閉じ時の状態を示している。
【００５２】
図７に示すように、本発明の他の実施形態に係る突き出し機構３０は、上記突き出し機構２０と比較して、コア型１１だけでなくキャビティ型１２にも突き出し機構３０の部材が設けられていることが異なる。
【００５３】
具体的に、突き出し機構３０は、コア型１１の表面に形成された溝部１１ｆと、キャビティ型１２の表面で且つコア型１１に形成された溝部１１ｆに対応する位置に形成された溝部１２ｆに設けられている。突き出し機構３０は、コア型１１における溝部１１ｆ内に、突き出しブロック３１と、該突き出しブロック３１を溝部１１ｆの外側（図７では右方向）に付勢する第１スプリング３２と、溝部１１ｆの深さ方向に延び、突き出しブロック３１を貫通するように設けられた第１ピン３３とを備えている。なお、本実施形態においては、突き出しブロック３１の頂面周縁部の一部のみに段差部が設けられ、その段差部に成形品１３が当接しており、突き出しブロック３１が押し出された際に、その段差部により成形品１３が突き出されるように構成されている。また、突き出し機構３０は、キャビティ型１２における溝部１２ｆ内に、遅延機構６０として、遅延用ブロック３４と、該遅延用ブロック３４を溝部１２ｆの外側（図７では左方向）に付勢する第２スプリング３５と、溝部１２ｆの深さ方向に延び、遅延用ブロック３４を貫通するように設けられた第２ピン３６とを備えている。
【００５４】
第１スプリング３２が突き出しブロック３１を付勢する付勢力は、第２スプリング３５が遅延用ブロック３４を付勢する付勢力よりも小さくなるように構成されている。また、第１ピン３３及び第２ピン３６は、上記ガイドピン２４と同様にその先端部に径が拡大された係止部３３ａ及び３６ａをそれぞれ有している。また、突き出しブロック３１及び遅延用ブロック３４には、上記突き出しブロック２１の貫通孔２１ｄ，２１ｅと同様に径が深さ方向の途中で変わる貫通孔３１ａ及び３４ａが形成されている。このため、上記突き出しブロック２１及びガイドピン２４と同様に、突き出しブロック３１は、所定量移動した後に、第１ピン３３の係止部３３ａが貫通孔３１ａの径が変わる境界面（当接面）３１ｂに当接されてその移動が規制されるように構成されている。同様に、遅延用ブロック３４は、所定量移動した後に、第２ピン３６の係止部３６ａが貫通孔３４ａの径が変わる境界面（当接面）３４ｂに当接されてその移動が規制されるように構成されている。
【００５５】
次に、突き出し機構３０の型開き時の動作について図８（ａ）〜（ｃ）を参照しながら説明する。図８（ａ）〜（ｃ）は、突き出し機構３０の型開き時の動作を順次示す図である。
【００５６】
まず、図８（ａ）に示すように、型開き前において、突き出し機構３０における突き出しブロック３１及び遅延用ブロック３４は互いに当接した状態にある。このとき、突き出しブロック３１は、第１スプリング３２によりコア型１１の溝部１１ｆの外側（図８（ａ）では右方向）に付勢され、遅延用ブロック３４は、第２スプリングによりキャビティ型１２の溝部１２ｆの外側（図８（ａ）では左方向）に付勢されている。
【００５７】
次に、型開き開始時において、図８（ｂ）に示すように、コア型１１がキャビティ型１２から離れると、第２スプリング３５の付勢力により遅延用ブロック３４がコア型１１方向（図８（ｂ）では左側）に押し出される。このとき、遅延用ブロック３４に当接された突き出しブロック３１は、第１スプリング３２によりキャビティ型１２方向（図８（ｂ）では右側）に付勢されているものの、上述の通り第１スプリング３２の付勢力は第２スプリング３５の付勢力よりも小さいため、突き出しブロック３１は移動しない。
【００５８】
さらに型開きが進むと、図８（ｃ）に示すように、遅延用ブロック３４は、第２ピンの係止部３６ａに係止され、所定量以上にコア型１１方向（図８（ｃ）では左側）に押し出されない。このため、遅延用ブロック３４から突き出しブロック３１が離れる。そうすると、突き出しブロック３１が第１スプリング３２の付勢力によりキャビティ型１２方向（図８（ｃ）では右側）に押し出される。その結果、コア型１１の表面に張り付いていた成形品１３が離型されることとなる。
【００５９】
このような突き出し機構３０を用いても、上記突き出し機構２０と同様に、型開き工程とは別に、エジェクターピン等を用いた突き出し工程を行う必要はなく、型開き工程と共に、成形品１３の突き出しを行うことができる。
【符号の説明】
【００６０】
１０  射出成形金型
１１  コア型
１２  キャビティ型
１３  成形品
１６  サイドコア
１７  付勢部材
２０，３０  突き出し機構
２１，３１  突き出しブロック（ブロック部材）
２２  ロッド（被付勢部材）
２２ａ  鍔部（押出部）
２３  コイルスプリング
３２  第１スプリング
３４  遅延用ブロック
３５  第２スプリング
５０，６０  遅延機構
【図１】
2014205315.tif 000003
【図２】
2014205315.tif 000004
【図３】
2014205315.tif 000005
【図４】
2014205315.tif 000006
【図５】
2014205315.tif 000007
【図６】
2014205315.tif 000008
【図７】
2014205315.tif 000009
【図８】
2014205315.tif 000010